【手続補正書】
【提出日】平成27年4月15日(2015.4.15)
【手続補正１】
【補正対象書類名】明細書
【補正対象項目名】００１１
【補正方法】変更
【補正の内容】
【００１１】
支持装置の幾つかの実施の形態は、機械工具を備えることができる。機械工具は、装着装置によって着脱可能に保持されてよい。機械工具は、回転可能部材の構成要素の回転によってガススプリングの第１の端部又は釣り合い機構の端部の垂直方向における位置を調節するために使用可能であってよく、回転可能部材に係合させて、垂直方向に調節自在な取付機構の回転可能部材を回転させるべくこの機械工具を回転させることで、回転可能部材の構成要素の回転が引き起こされる。ユーザが工具を使用して、ガススプリング又は他の釣り合い機構の端部の位置を調節してもよい。
【手続補正２】
【補正対象書類名】明細書
【補正対象項目名】００１９
【補正方法】変更
【補正の内容】
【００１９】
アームアセンブリ９は、第１の端部２１の反対側にある第２の端部２３をさらに備えてよい。第２の端部２３は、モニタなどの表示装置をアームアセンブリに取り付けるように構成された装着装置１１に取り付けられるように構成されてよい。好ましくは、装着装置１１は、我々の米国特許出願第１２／３７２，１１０号に開示の表示装置用の取付け板又は他の装着装置と同じ又は似たようにされる。
【手続補正３】
【補正対象書類名】明細書
【補正対象項目名】００２０
【補正方法】変更
【補正の内容】
【００２０】
装着装置１１は、溝又は他の開口を備えてよく、当該溝又は他の開口は、六角レンチ１３又は他の機械工具の一部分と対をなす寸法及び構成を有している。六角レンチ１３は、装着装置１１の一部分に定められる溝又は他の開口若しくは構造によって、着脱自在に保持されてよい。好ましくは、装着装置１１は、装着装置の後ろ側に着脱自在に六角レンチを保持するように構成されており、支持装置の審美的効果を不必要に損なうことがないようにして六角レンチが視界から概ね隠されるにも拘わらず、ユーザにとって有用な機能が提供される。
【手続補正４】
【補正対象書類名】明細書
【補正対象項目名】００２２
【補正方法】変更
【補正の内容】
【００２２】
アームアセンブリ９は、相互接続された１又は複数のアーム部材を含んでよい。さらに、アームアセンブリ９は、釣り合い機構３１を備えてよく、当該釣り合い機構３１は、ガススプリング３８を備えてよい。ガススプリング３８は、ガス支柱又はガスダンパとも称される。ガススプリング３８は、アームアセンブリ９の第１の端部２１とアームアセンブリ９の第２の端部２３との間に取り付けられる。ガススプリング３８は、シュラウド３７によって覆われて、又は、囲まれてよく、支持装置１の審美的効果を向上させるために、シュラウド３７は、ガススプリング３８を視界から隠すように、又はほとんど隠すように構成されている。さらに、シュラウドは、アームアセンブリ９のガススプリング又は他の構成要素の端部の間に存在しうる枢支接続部(pivotal connection)も覆ってよく、アームアセンブリ９の位置調節の際にユーザの指が誤って挟まれる又は負傷することを防止するのに役立つ。
【手続補正５】
【補正対象書類名】明細書
【補正対象項目名】００２３
【補正方法】変更
【補正の内容】
【００２３】
ガススプリング３８は、アームアセンブリ９の第１の端部２１に回転自在に取り付けられてよい。回転自在な取付けにより、アームアセンブリ９の第１の端部２１へのガススプリング３８の回転自在な取付け又は枢支取付部を中心とするアームアセンブリ９の回転運動を介して、アームアセンブリの第２の端部２３を垂直方向に調節できる。垂直方向の調節は、支柱５の下部４及び部材７の上端６における回転可能な取付けによってもたらされる回転調節機能と共に機能する。当然ながら、モニタの位置は、アームアセンブリへの第２の端部２３への装着装置１１の枢支取り付けと、装着装置１１の構成部品によってもたらされる回転又は垂直方向の調節とによって、さらに調節されてよい。
【手続補正６】
【補正対象書類名】特許請求の範囲
【補正対象項目名】全文
【補正方法】変更
【補正の内容】
【特許請求の範囲】
【請求項１】
第１の端部及び第２の端部を有するアームアセンブリと、
前記アームアセンブリが可動に取り付けられる支持アセンブリと、
前記アームアセンブリの第１の端部と前記アームアセンブリの第２の端部との間に延びており、第１の端部と、当該第１の端部の反対側の第２の端部とを有しているガススプリングであって、前記アームアセンブリが、複数の異なる位置に、前記複数の異なる位置の任意の１つへと前記支持アセンブリに対して移動した後に維持されるように、前記支持アセンブリに取り付けられているガススプリングと、
前記アームアセンブリに取り付けられており、表示装置を保持するサイズにされた装着装置と、
前記アームアセンブリ及び前記支持アセンブリの一方に、前記ガススプリングの第１の端部を直接取り付ける垂直方向に調節自在な取付機構であって、前記垂直方向に調節自在な取付機構は、前記ガススプリングの第１の端部の垂直方向における位置を、前記垂直方向に調節自在な取付機構の少なくとも１つの構成要素の移動によって調節できるようなサイズ及び形状にされており、前記垂直方向に調節自在な取付機構は、前記アームアセンブリに取り付けられている受け部材で構成されている、垂直方向に調節自在な取付機構と、
機械工具と、
を備えており、
前記受け部材は、前記アームアセンブリの第１の端部に取り付けられ、
前記垂直方向に調節自在な取付機構は、前記受け部材に取り付けられた回転可能部材をさらに備えており、前記回転可能部材は、第１の方向及びその反対の第２の方向に回転可能であり、
前記第１の方向への前記回転可能部材の運動は、前記ガススプリングの第１の端部の位置を上昇させ、前記第２の方向への前記回転可能部材の運動は、前記ガススプリングの第１の端部の位置を下降させ、
前記垂直方向に調節自在な取付機構の前記少なくとも１つの構成要素は、前記回転可能部材で構成されており、
前記装着装置は、前記機械工具を着脱可能に保持し、前記機械工具は、前記垂直方向に調節自在な取付機構の回転可能部材の回転によって、前記ガススプリングの第１の端部の垂直方向における位置を調節するために使用され、前記回転可能部材の回転は、前記機械工具を前記回転可能部材に係合させると共に回転させて、前記回転可能部材を回転させることで引き起こされ、
前記ガススプリングの第１の端部は、前記回転可能部材へと直接取り付けられている、支持装置。
【請求項２】
前記アームアセンブリは、前記アームアセンブリの第１の端部と第２の端部との間に位置する第１のアーム部材で構成され、
前記垂直方向に調節自在な取付機構は、前記ガススプリングの第１の端部を前記アームアセンブリに直接取り付けるために、前記第１のアーム部材の端部に取り付けられており、
前記装着装置は、前記アームアセンブリの第２の端部に取り付けられている、請求項１に記載の支持装置。
【請求項３】
前記支持アセンブリに取り付けられた装着機構をさらに備えており、
前記装着機構は、クランプで構成されており、
前記装着装置は、前記表示装置に取り付けるサイズ及び構成を有する取付板を備えている、請求項１に記載の支持装置。
【請求項４】
前記受け部材は、前記アームアセンブリに可動に取り付けられている、請求項１に記載の支持装置。
【請求項５】
前記垂直方向に調節自在な取付機構は、前記ガススプリングの第１の端部に取り付けられ、又は配置されたナット又は可動体をさらに備えており、
前記ナット又は可動体はまた、前記回転可能部材に可動に取り付けられており、前記回転可能部材の回転によって前記ナット又は可動体が前記回転可能部材に沿って移動することで、前記ガススプリングの第１の端部の垂直方向における位置が変化し、
前記垂直方向に調節自在な取付機構の前記少なくとも１つの構成要素はまた、前記ナット又は前記可動体で構成されている、請求項１に記載の支持装置。
【請求項６】
前記ガススプリングの第１の端部は、前記回転可能部材を受け入れるサイズの穴を有しており、前記ナット又は可動体の垂直方向の移動によって垂直方向に移動させられるように前記ナット又は可動体に配置されている、請求項５に記載の支持装置。
【請求項７】
前記回転可能部材は、ほぼ垂直方向に延びる長さを有するボルト又はねじである、請求項１に記載の支持装置。
【請求項８】
前記アームアセンブリの第１の端部と独立して動くことがないように、前記受け部材は、前記アームアセンブリの第１の端部に不動に取り付けられている、請求項１に記載の支持装置。
【請求項９】
前記アームアセンブリは、少なくとも１つのアーム部材で構成されている、請求項１に記載の支持装置。
【請求項１０】
第１の端部及び第２の端部を有しているアームアセンブリと、
前記アームアセンブリが可動に取り付けられる支持アセンブリと、
前記アームアセンブリの第１の端部と前記アームアセンブリの第２の端部の間に延びている釣り合い機構であって、前記釣り合い機構は、第１の端部と、当該第１の端部の反対側の第２の端部とを有しており、前記釣り合い機構は、前記アームアセンブリが、複数の異なる位置に、前記複数の異なる位置の任意の１つへと前記支持アセンブリに対して移動した後に維持されるように、前記支持アセンブリに取り付けられている、釣り合い機構と、
前記アームアセンブリに取り付けられており、表示装置を保持するサイズにされた装着装置と
前記アームアセンブリ及び前記支持アセンブリの一方に、前記釣り合い機構の第１の端部を直接取り付ける垂直方向に調節自在な取付機構であって、前記垂直方向に調節自在な取付機構は、前記釣り合い機構の第１の端部の垂直方向における位置を、前記垂直方向に調節自在な取付機構の少なくとも１つの構成要素の移動によって調節できるようなサイズ及び形状にされており、前記垂直方向に調節自在な取付機構は、前記アームアセンブリに取り付けられている受け部材で構成されている、垂直方向に調節自在な取付機構と、
機械工具と、
を備えており、
前記受け部材は、前記アームアセンブリの第１の端部に取り付けられ、
前記垂直方向に調節自在な取付機構は、前記受け部材に取り付けられた回転可能部材をさらに備えており、前記回転可能部材は、第１の方向及びその反対の第２の方向に回転可能であり、
前記第１の方向への前記回転可能部材の運動は、前記釣り合い機構の第１の端部の位置を上昇させ、前記第２の方向への前記回転可能部材の運動は、前記釣り合い機構の第１の端部の位置を下降させ、
前記垂直方向に調節自在な取付機構の前記少なくとも１つの構成要素は、前記回転可能部材で構成されており、
前記装着装置は、前記機械工具を着脱可能に保持し、前記機械工具は、前記垂直方向に調節自在な取付機構の回転可能部材の回転によって、前記釣り合い機構の第１の端部の垂直方向における位置を調節するために使用され、前記回転可能部材の回転は、前記機械工具を前記回転可能部材に係合させると共に回転させて、前記回転可能部材を回転させることで引き起こされ、
前記釣り合い機構の第１の端部は、前記回転可能部材へと直接取り付けられている、支持装置。
【請求項１１】
前記垂直方向に調節自在な取付機構は、前記釣り合い機構の第１の端部に取り付けられ、あるいは前記釣り合い機構の第１の端部を支持するナット又は可動体をさらに備えており、
前記ナット又は可動体はまた、前記回転可能部材に可動に取り付けられており、前記回転可能部材の運動によって前記ナット又は可動体が前記回転可能部材に沿って移動することで前記釣り合い機構の第１の端部の垂直方向における位置が変化し、
前記垂直方向に調節自在な取付機構の前記少なくとも１つの構成要素はまた、前記ナット又は前記可動体で構成されている、請求項１０に記載の支持装置。
【請求項１２】
前記釣り合い機構の第１の端部は、前記回転可能部材を受け入れるサイズの穴を有しており、前記ナット又は可動体の垂直方向の移動によって垂直方向に移動させられるように前記ナット又は可動体に配置されている、請求項１１に記載の支持装置。
【請求項１３】
前記回転可能部材は、ほぼ垂直方向に延びる長さを有するボルト又はねじである、請求項１０に記載の支持装置。
【請求項１４】
前記アームアセンブリの第１の端部と独立して動くことがないように、前記受け部材は、前記アームアセンブリの第１の端部に不動に取り付けられている、請求項１０に記載の支持装置。